(57)【要約】【課題】個別仕様車の仕様をユーザが選定するに際して、第三者による選定情報を容易且つ合理的に参照することが可能な個別仕様車選定装置及び方法、並びにコンピュータ・プログラムの提供。【解決手段】個別仕様車選定装置は、ユーザ（Ｂさん）に対して、車両供給者とは異なる他者（Ａさん）が選定した個別仕様車に関する選定情報を提示することができる。この場合、ユーザ（Ｂさん）は、雛形として提示された選定情報に対して、適宜追加・変更操作を行なうことにより、当該ユーザ所望の個別仕様車を選定することができる。【選択図】　図２
2004054774.tif 000002
【特許請求の範囲】
【請求項１】
車両供給者が供給可能な車両仕様に関して予め用意された所定の選択肢のユーザによる選択操作によって、そのユーザとは異なる第三者によって登録された個別仕様車に関する選定情報を雛形として、或いは予め用意された基準仕様車を基にして、該ユーザ所望の個別仕様車を選定可能であると共に、その個別仕様車に関する選定情報を登録可能な仕様選定手段を備える
ことを特徴とする個別仕様車選定装置。
【請求項２】
前記第三者によって登録された個別仕様車に関する選定情報は、
登録された全ての個別仕様車の中で、仕様選定の実績が他の個別仕様車と比較して多い特定の個別仕様車に関する選定情報である
ことを特徴とする請求項１記載の個別仕様車選定装置。
【請求項３】
前記第三者によって登録された個別仕様車に関する選定情報は、
登録された全ての個別仕様車の中で、仕様選定後の見積実績が他の個別仕様車と比較して多い特定の個別仕様車に関する選定情報である
ことを特徴とする請求項１記載の個別仕様車選定装置。
【請求項４】
前記仕様選定手段を利用して登録された個別仕様車に関する選定情報を、前記ユーザによって特定された特定ユーザに提案可能な提案手段を更に備え、
前記仕様選定手段は、
前記提案手段を利用して前記第三者であるユーザから提案された個別仕様車に関する選定情報を前記雛形として、前記特定ユーザが所望の個別仕様車を選定可能である
ことを特徴とする請求項１記載の個別仕様車選定装置。
【請求項５】
投票候補としての複数種類の個別仕様車の中から所望の個別仕様車に対して投票可能な投票手段を更に備え、
前記仕様選定手段は、
前記投票手段への投票結果に基づいて選択された個別仕様車に関する情報を前記雛形として、前記ユーザによる所望の個別仕様車を選定可能である
ことを特徴とする請求項１記載の個別仕様車選定装置。
【請求項６】
前記投票手段は、
前記投票候補としての複数種類の個別仕様車に関する情報が、前記投票に先立って、前記仕様選定手段を利用して登録されるに際して、その情報が表わす個別仕様車が同一または類似する場合には、最先に設定されたもの以外の登録を禁止する
ことを特徴とする請求項５記載の個別仕様車選定装置。
【請求項７】
前記所定の選択肢に対応する選定仕様に関して、参考情報を記憶する記憶手段を備え、
前記仕様選定手段は、
前記ユーザ所望の個別仕様車が前記所定の選択肢の選択操作によって選定されるに際して、選択された選定仕様、或いは選択可能な選定仕様に関して、前記記憶手段を参照することによって、対応する参考情報を提示する
ことを特徴とする請求項１記載の個別仕様車選定装置。
【請求項８】
車両供給者が供給可能な車両仕様に関して予め用意された所定の選択肢のユーザによる選択操作に応じて、そのユーザとは異なる第三者によって登録された個別仕様車に関する選定情報を雛形として、或いは、予め用意された基準仕様車を基にして、該ユーザ所望の個別仕様車に関する選定情報が選定される仕様選定工程を有する
ことを特徴とする個別仕様車選定方法。
【請求項９】
前記第三者によって登録された個別仕様車に関する選定情報は、
登録された全ての個別仕様車の中で、仕様選定の実績が他の個別仕様車と比較して多い特定の個別仕様車に関する選定情報である
ことを特徴とする請求項８記載の個別仕様車選定方法。
【請求項１０】
前記第三者によって登録された個別仕様車に関する選定情報は、
登録された全ての個別仕様車の中で、仕様選定後の見積実績が他の個別仕様車と比較して多い特定の個別仕様車に関する選定情報である
ことを特徴とする請求項８記載の個別仕様車選定方法。
【請求項１１】
前記仕様選定工程にて選定された個別仕様車に関する選定情報を、前記ユーザによって特定された特定ユーザに提案する提案工程を更に有し、
前記仕様選定工程では、
前記第三者であるユーザから前記提案工程にて提案された個別仕様車に関する選定情報を前記雛形として、前記特定ユーザが所望の個別仕様車を選定可能であることを特徴とする請求項８記載の個別仕様車選定方法。
【請求項１２】
投票候補としての複数種類の個別仕様車の中から所望の個別仕様車に対して投票可能な投票工程を更に有し、
前記仕様選定工程では、
前記投票工程における投票結果に基づいて選択された個別仕様車に関する情報を前記雛形として、前記ユーザによる所望の個別仕様車を選定可能である
ことを特徴とする請求項８記載の個別仕様車選定方法。
【請求項１３】
前記投票工程では、
前記投票候補としての複数種類の個別仕様車に関する情報が、前記投票に先立って、前記仕様選定工程にて選定されるに際して、その情報が表わす個別仕様車が同一または類似する場合には、最先に設定されたもの以外の登録を禁止する
ことを特徴とする請求項１２記載の個別仕様車選定方法。
【請求項１４】
前記仕様選定工程では、
前記ユーザ所望の個別仕様車が前記所定の選択肢の選択操作によって選定されるに際して、選択された選定仕様、或いは選択可能な選定仕様に関して、対応する参考情報を提示する
ことを特徴とする請求項８記載の個別仕様車選定方法。
【請求項１５】
個別仕様車選定装置としてコンピュータを動作させる指示をなすコンピュータ・プログラムであって、
車両供給者が供給可能な車両仕様に関して予め用意された所定の選択肢のユーザによる選択操作によって、そのユーザとは異なる第三者によって登録された個別仕様車に関する選定情報を雛形として、或いは予め用意された基準仕様車を基にして、該ユーザ所望の個別仕様車を選定可能であると共に、その個別仕様車に関する選定情報を登録可能な仕様選定機能のためのプログラム・コードを有することを特徴とするコンピュータ・プログラム。
【請求項１６】
前記第三者によって登録された個別仕様車に関する選定情報は、
登録された全ての個別仕様車の中で、仕様選定の実績が他の個別仕様車と比較して多い特定の個別仕様車に関する選定情報である
ことを特徴とする請求項１５記載のコンピュータ・プログラム。
【請求項１７】
前記第三者によって登録された個別仕様車に関する選定情報は、
登録された全ての個別仕様車の中で、仕様選定後の見積実績が他の個別仕様車と比較して多い特定の個別仕様車に関する選定情報である
ことを特徴とする請求項１５記載のコンピュータ・プログラム。
【請求項１８】
前記仕様選定機能を利用して登録された個別仕様車に関する選定情報を、前記ユーザによって特定された特定ユーザに提案可能な提案機能のためのプログラム・コードを更に有し、
前記仕様選定機能のためのプログラム・コードが実行されることによって、
前記提案機能を利用して前記第三者であるユーザから提案された個別仕様車に関する選定情報を前記雛形として、前記特定ユーザが所望の個別仕様車を選定可能である
ことを特徴とする請求項１５記載のコンピュータ・プログラム。
【請求項１９】
投票候補としての複数種類の個別仕様車の中から所望の個別仕様車に対して投票可能な投票機能のためのプログラム・コードを更に有し、
前記仕様選定機能のためのプログラム・コードが実行されることによって、
前記投票機能による投票結果に基づいて選択された個別仕様車に関する情報を前記雛形として、前記ユーザによる所望の個別仕様車を選定可能である
ことを特徴とする請求項１５記載のコンピュータ・プログラム。
【請求項２０】
前記投票機能のためのプログラム・コードが実行されることによって、
前記投票候補としての複数種類の個別仕様車に関する情報が、前記投票に先立って、前記仕様選定機能を利用して登録されるに際して、その情報が表わす個別仕様車が同一または類似する場合には、最先に設定されたもの以外の登録が禁止される
ことを特徴とする請求項１９記載のコンピュータ・プログラム。
【請求項２１】
前記仕様選定機能のためのプログラム・コードが実行されることによって、
前記ユーザ所望の個別仕様車が前記所定の選択肢の選択操作によって選定されるに際して、選択された選定仕様、或いは選択可能な選定仕様に関して、対応する参考情報が提示される
ことを特徴とする請求項１５記載のコンピュータ・プログラム。
【発明の詳細な説明】
【０００１】
【発明の属する技術分野】
本発明は、通信回線を介してオンラインで、ユーザ所望の商品に関する価格情報等の各種情報を、そのユーザが利用する情報端末に提供する技術分野に関する。
【０００２】
【従来の技術】
従来より、商品に関する価格情報をユーザに提供する情報提供装置として、例えば、特開平５−２７４３２６号公報に開示されているように、販売対象である商品のカタログ情報をマルチメディア情報の形態でデータベースに蓄積しておき、計算機システム上で特定化した商品に関する情報を前記データベースから読み出して、外部出力、見積、納期問合せ、受注処理等を行なえるようにしたものが知られている。
【０００３】
また、代表的な車両である自動車の分野においては、通信回線を介してオンラインで、車両に関する情報をユーザが所有する情報端末に提供する技術が提案されており、このような技術の一例として、例えば特開平７−１９９８２０号公報には、オンラインで自動車の仮想展示を行う技術が提案されている。
【０００４】
【発明が解決しようとする課題】
上記特開平７−１９９８２０号公報の技術によれば、自動車の購入を希望する顧客は、旧来より行われている商品カタログの収集だけでなく、国内では一般にディーラと称される販売代理店に何件も出かけていかなくても、複数種類の自動車に関する情報を閲覧することができ、顧客にとっては利便性が良く、販売代理店にとっては効率的な営業活動が実現する。
【０００５】
しかしながら、上記特開平７−１９９８２０号公報の技術では、オンラインによる自動車の仮想展示が行われるのみであり、それ以降の納車までの各段階の情報を、オンラインでユーザに提示することについては開示されていない。
【０００６】
また、特開平５−２７４３２６号公報においては、データベースに蓄積された情報を利用して、特定化した商品について、外部出力、見積、納期問合せ、受注処理等を行なえるものの、それ以降の納品までの各段階の情報を、オンラインでユーザに提示することは開示されていない。
【０００７】
また、一般的な顧客にとって、購入すべき商品の選定から実際の購入までの各行為はそれ自体が楽しいものであるが、上記従来の技術、或いは従来において、購入契約を行ってから実際に納車されるまでの自動車の購入に伴う顧客（ユーザ）の期待感等の気持ちを満足させることはできず、顧客により大きな満足感を感じてもらうためには、係る期待感等の気持ちを充足する新たな手法（エンターテイメント性）が望まれる。
【０００８】
このような従来技術を背景として、本願出願人は、先行する特願２００１−３３６８７３号及び特願２００１−３２０８００号（何れも本願出願時点において未公開である）において、メーカが供給可能な各種車両の仕様の中から、ユーザが所望仕様の車両（以下、個別仕様車）を容易且つ楽しく選定可能にすると共に、選定された所望仕様の車両の見積価格を、当該ユーザに効率的に提供するとともに、注文がなされた個別仕様車の納車までの進捗状況を、エンターテイメント性を考慮してユーザに提供するシステムを提案している。
【０００９】
図１３は、本願出願人が先に提案しているシステムを利用してユーザが所望の個別仕様車を選定し、選定した個別仕様車が当該システム登録されるまでの概略を説明する図である。
【００１０】
上記システムにおいて、所望仕様の個別仕様車を選定しようとするユーザは、自身が利用するパーソナル・コンピュータ等を操作して、その個別仕様車のベースとなり得る基準仕様車に関する情報を、車両メーカ等の車両供給者が運営するデータベースから読み出すと共に、その車両供給者が当該基準仕様車に対して供給可能な車両仕様に関して予め用意された所定の選択肢の中から選択する作業を行なうことによって、係る所望仕様の個別仕様車を選定する。この作業によって選定された個別仕様車に関する情報（当該個別仕様を特定する情報）は、当該ユーザの意思決定を表わす所定の操作が行われるのに応じて、当該車両供給者が運営するデータベース内にユーザ別に用意された記憶領域に登録され、当該ユーザは、登録された個別仕様車に関する情報を読み出すと共に、前記と同様な選択作業によって個別仕様の更新（追加、変更、削除等）を行なうこともできる。
【００１１】
このような本願出願人によるシステムは、他者とは異なる個性的な商品、或いは自分らしい商品を嗜好する近年の消費者市場にあって、個性的な車両を求める「見込み客」としての上記システムのユーザを満足させることができ、エンターテイメント性にも優れるものである。
【００１２】
しかしながら、個性的な車両を求める見込み客ではあっても、特に車両（自動車）に関して詳しい訳ではなく、自分が嗜好する（購入しようとする）個別仕様車の全体的且つ概念的なイメージを漠然と抱いているに留まり、係るイメージを実現する個別仕様車を選定すべく、供給可能な車両仕様に関して予め用意された膨大な選択肢の中から的確な選択作業を行なうことによって、１台の車両としてまとまりの良いものとすることは、一般的な見込み客（例えばドライバ）を困惑させることも予想される。
【００１３】
そして、このような場合、係る一般的な見込み客は、自分が嗜好する個性的な個別仕様車を選定すべく、例えば、自動車に関して詳しい周囲の他者（友人、家族、知人等）に仕様選定について相談する方法が想定されるが、現行の上記システムにおいて他者の思考や意見等を合理的に反映することは容易ではない。
【００１４】
また、車両（自動車）は、一般的な消費者にとってかなり高額な商品であるため、上記のような個別仕様車の場合においても、納車されるまでの顧客（ユーザ）の期待感や、買い物を楽しむ気持ち等をより高度に満足させるべく、見積以前の個別仕様車の選定段階においても、より柔軟でエンターテイメント性に優れる手法が望まれる。
【００１５】
そこで本発明は、個別仕様車の仕様をユーザが選定するに際して、第三者による選定情報を容易且つ合理的に参照することが可能な個別仕様車選定装置及び方法、並びにコンピュータ・プログラムの提供を目的とする。
【００１６】
【課題を解決するための手段】
上記の目的を達成するため、本発明に係る個別仕様車選定装置は、以下の構成を特徴とする。
【００１７】
即ち、車両供給者（例えば、メーカや販売代理店等）が供給可能な車両仕様に関して予め用意された所定の選択肢のユーザによる選択操作によって、そのユーザとは異なる第三者によって登録された個別仕様車に関する選定情報を雛形として、或いは予め用意された基準仕様車を基にして、該ユーザ所望の個別仕様車を選定可能であると共に、その個別仕様車に関する選定情報を登録可能な仕様選定手段を備えることを特徴とする。
【００１８】
好適な実施形態において、前記第三者が選定した個別仕様車に関する選定情報は、例えば、
・登録された全ての個別仕様車の中で、仕様選定の実績が他の個別仕様車と比較して多い特定の個別仕様車に関する選定情報、
・或いは、登録された全ての個別仕様車の中で、仕様選定後の見積実績が他の個別仕様車と比較して多い特定の個別仕様車に関する選定情報
である。
【００１９】
また、好ましくは、前記仕様選定手段を利用して登録された個別仕様車に関する選定情報を、前記ユーザによって特定された特定ユーザに提案可能な提案手段を更に備え、
前記仕様選定手段は、前記提案手段を利用して前記第三者であるユーザから提案された個別仕様車に関する選定情報を前記雛形として、前記特定ユーザが所望の個別仕様車を選定可能であると良い。
【００２０】
また、好ましくは、投票候補としての複数種類の個別仕様車の中から所望の個別仕様車に対して投票可能な投票手段を更に備え、
前記仕様選定手段は、前記投票手段への投票結果に基づいて選択された個別仕様車に関する情報を前記雛形として、前記ユーザによる所望の個別仕様車を選定可能であると良い。
【００２１】
この場合において、前記投票手段は、例えば前記投票候補としての複数種類の個別仕様車に関する情報が、前記投票に先立って、前記仕様選定手段を利用して登録されるに際して、その情報が表わす個別仕様車が同一または類似する場合には、最先に設定されたもの以外の登録を禁止すると良い。
【００２２】
また、例えば前記所定の選択肢に対応する選定仕様に関して、参考情報を記憶する記憶手段を備え、
前記仕様選定手段は、前記ユーザ所望の個別仕様車が前記所定の選択肢の選択操作によって選定されるに際して、選択された選定仕様、或いは選択可能な選定仕様に関して、前記記憶手段を参照することによって、対応する参考情報を提示すると良い。
【００２３】
尚、同目的は、上記の各構成の個別仕様車選定装置に対応する個別仕様車選定方法によっても達成される。
【００２４】
また、同目的は、上記の各構成の個別仕様車選定装置または対応する個別仕様車選定方法を、コンピュータによって実現するプログラムコード、及びそのプログラムコードが格納されている、コンピュータ読み取り可能な記憶媒体によっても達成される。
【００２５】
【発明の効果】
上記の本発明によれば、個別仕様車の仕様をユーザが選定するに際して、第三者による選定情報を容易且つ合理的に参照することが可能な個別仕様車選定装置及び方法、並びにコンピュータ・プログラムの提供が実現する。
【００２６】
即ち、請求項１、請求項８、請求項１５の発明によれば、見込み客等のユーザは、例えば車両メーカが予め用意した基準仕様車、或いは第三者が選定した個別仕様車に関する選定情報を雛形として、所望の個別仕様車を選定することができる。これにより、ユーザは、第三者である他者の思考や意見等が反映された選定情報を雛形として利用（或いは、継承）できるので、例えば、当該ユーザが車両に詳しくない顧客であっても、必要とされる全ての選定作業をすること無く、１台の自動車としてまとまりの良い個別仕様車を、自分の嗜好に合わせて、容易且つ合理的に構築することができる。
【００２７】
また、請求項２、請求項９、請求項１６の発明によれば、見込み客等のユーザは、他の見込み客や車両に詳しい他のユーザ等の他者による仕様選定の実績が多い特定の個別仕様車に関する選定情報を雛形として利用できるので、ユーザ所望の個別仕様車を、より容易且つ合理的に構築することができる。
【００２８】
また、請求項３、請求項１０、請求項１７の発明によれば、見込み客等のユーザは、他の見込み客等の他者による仕様選定及びその後の見積実績が多い特定の個別仕様車に関する選定情報を雛形として利用できるので、ユーザ所望の個別仕様車を、より容易且つ合理的に構築することができる。
【００２９】
また、請求項４、請求項１１、請求項１８の発明によれば、他者は、個別仕様車の購入を検討しているところの、例えば友人や知人である特定ユーザに対して、自分が思考する個別仕様車、或いは、その特定ユーザが漠然と思い抱く個別仕様車を具体化した個別仕様車を、当該特定ユーザに提案することができるので、当該特定ユーザは、提案された個別仕様車に関する選定情報を雛形として利用でき、係る特定ユーザ所望の個別仕様車を、より容易且つ合理的に構築することができる。また、このような選定仕様の提案は、見積段階前の見込み客（特定ユーザ）だけでなく、その見込み客に仕様提案を行なった友人や知人等の他者にも新たなエンターテイメントを提供することができ、好適である。
【００３０】
また、請求項５、請求項１２、請求項１９の発明によれば、自分が思考する個別仕様車を不特定多数の見込み客等のユーザに対して提案できると共に、提案した個別仕様車に対しては、その不特定多数のユーザによる投票が可能であるため、車両の購入を直接的には検討していない者に対しても、新たなエンターテイメントを提供することがでると共に、見込み客であるユーザは、その投票の結果が例えば上位であった特定の個別仕様車に関する選定情報を雛形として利用できるので、ユーザ所望の個別仕様車を、より容易且つ合理的に構築することができる。
【００３１】
また、請求項６、請求項１３、請求項２０の発明によれば、投票候補として同一または類似する個別仕様車が重複して登録される、或いは、多数登録されることを防止することができるので、投票候補となる個別仕様車の種類を合理的に設定することができる。
【００３２】
また、上記各請求項の如く、他者が選定した個別仕様車に関する選定情報を雛形とする場合、見込み客であるユーザは、自分で選定した訳ではないので、その個別仕様車の具体的なイメージを思い抱くことは容易でない場合も想定されるところ、請求項７、請求項１４、請求項２１の発明によれば、仕様選定に際して、当該ユーザは、他者の選定した個別仕様車に関する選定情報を、例えば画像等によって判別することができるので、ユーザ所望の個別仕様車を、より容易且つ合理的に構築することができる。
【００３３】
【発明の実施の形態】
以下、本発明に係る個別仕様車選定システムの一実施形態を、図面を参照して詳細に説明する。
【００３４】
本実施形態において、個別仕様車とは、本システムを利用して、所定の複数項目について提示された選択肢の中から、ユーザ自身によって所望の仕様選定がなされた車両である。即ち、本実施形態に係るシステムは、車両提供者（車両メーカや販売代理店等）によって予め設定された複数項目について用意された複数の選択肢の中から、ユーザ自身によって所望の仕様選定がなされるようにした自動車の見積・発注システムであり、以下、このようにして仕様選定がなされた車両を、個別仕様車というものとする。
【００３５】
ここで、ユーザとは、本実施形態に係るシステムにアクセスして、そのサービスを受けることが可能な会員として少なくとも登録済みの顧客であって、個別仕様車の購入を検討している見込み客や、他の車両の所有者等である。
【００３６】
また、本実施形態において、ユーザが所望の仕様選定を行なうに際して参照可能な雛形（手本）には、車両提供者によって用意された所定の仕様・装備を備える標準仕様車（標準仕様車の仕様情報）に加えて、そのユーザとは異なる他者によって仕様が選定された個別仕様車（個別仕様車の仕様情報）がある。
【００３７】
図１は、本実施形態に係る個別仕様車選定システムの全体構成を示す概念図である。
【００３８】
同図において、ＢＴＯサーバ１は、個別仕様車選定支援処理（詳細は後述する）や、その処理によって選定された個別仕様車の所謂ＢＴＯ（Ｂｕｉｌｔ　Ｔｏ　Ｏｒｄｅｒ）方式の受注処理を実行すると共に、インターネット３、イントラネット６等の通信回線（無線通信の場合を含む）を介して、本システムを利用可能なユーザが利用するユーザ端末２、中古車情報サーバ４、車両メーカ５、販売代理店（サービス工場を含む）７等との通信が可能であり、本システムのホストコンピュータとして機能する（尚、車両メーカ５及び販売代理店７には、図１には不図示の情報端末が設置されており、その情報端末がＢＴＯサーバ１との通信を行なう）。
【００３９】
また、ＢＴＯサーバ１は、ユーザ端末２における操作や、車両メーカ５、或いは販売代理店７の不図示の情報端末の操作に応じて、データベース８への各種情報の書き込み・読み出しが可能である。
【００４０】
本実施形態において、ユーザ端末２は、外部装置との通信が可能なパーソナル・コンピュータやＰＤＡ（携帯情報端末）等の一般的な情報端末であって、インターネット通信を行うことが可能な一般的な通信プロトコルのソフトウエア（ソフトウエアプログラム）、そのソフトウエアに従ってインターネット３を介してデータを送受信するインターネットブラウザ機能及びメール機能、並びにブラウザを描画する一般的なソフトウエア群を有しており、これらのソフトウエアが不図示のＣＰＵによって適宜実行されることにより、ユーザ端末２は、ＢＴＯサーバ１に接続された（例えばログインした）状態において、インターネット３等の有線及び無線を含む通信回線を介して、双方向通信可能に接続される。また、ＢＴＯサーバ１には、外部装置との通信及びデータベースへのアクセスが可能な一般的なコンピュータを採用することができる。
【００４１】
尚、ユーザ端末２及びＢＴＯサーバ１の装置構成及び通信手段自体には、一般的な構成を採用するものとし、本実施形態における詳細な説明は省略する。
【００４２】
また、本実施形態において、データベース８には、以下の情報が適宜関連付けがなされた状態で記憶される。
【００４３】
・８−１：本システムを利用可能なユーザ（会員、見込み客等）を特定可能な名称（愛称等を含む）、識別情報（ＩＤ）、パスワード、メールアドレス、住所、電話番号等の情報である。
【００４４】
・８−２：ユーザが個別仕様車の選定に際して選定すべき複数項目について予め用意された複数の選択肢としての個々の仕様項目の識別情報と共に記憶されるところの、当該仕様項目毎のメーカ希望小売価格である。
【００４５】
・８−３：上記のメーカ希望小売価格（８−２）の各仕様項目に対して、販売代理店が実際に販売する場合に各ユーザに対して自動的に提示する見積価格であって、この見積価格は、販売代理店別に記憶されている。
【００４６】
・８−４：個別仕様車の仕様選定の後に見積依頼がなされたユーザに対して、上記の見積価格（８−３）に基づいて算出した当該個別仕様車の見積価格を電子メールにて提示するに際して参照される書式データ（テンプレート情報）である。この書式データは、販売代理店別に記憶されている。
【００４７】
・８−５：個別仕様車の選定に際してユーザ端末２に表示すべき選択肢に対応する個々の仕様項目、その仕様項目に対応する画像情報、並びに選択肢の組み合わせにおける制約情報等の各種の仕様情報である。
【００４８】
・８−６：競合他社が販売している各種車両に関する価格情報であり、例えば、個々の販売代理店７が上記の見積価格（８−３）を登録、或いは更新する際に参照される。
【００４９】
・８−７：本システムを利用してユーザが個別仕様車の仕様選定をするに際して、そのユーザが雛形として参照可能な車両の仕様情報であって、車両メーカ５や販売代理店７等の車両提供者によって予め用意された所定の仕様・装備を備える標準仕様車の仕様情報と、そのユーザとは異なる他者によって仕様が選定された個別仕様車の仕様情報とがある。
【００５０】
・８−８：本システムを利用してユーザが仕様選定した個別仕様車の仕様情報であって、ユーザ別に記憶される。
【００５１】
次に、上述したシステム構成において実現される本実施形態に係る個別仕様車選定システムの特徴的な動作について、図２を参照して概説する。
【００５２】
図２は、本実施形態に係る個別仕様車選定システムの動作を概説するための図である。
【００５３】
同図に示す処理系統は、本実施形態の特徴的な処理構成を表わすべく、それぞれユーザ端末２のユーザであるＡさん（以下、「第１ユーザ」と称する場合がある）側の操作と、Ｂさん（以下、「第２ユーザ」と称する場合がある）側の操作とに大別して表わされており、実際にはＢＴＯサーバ１にて行われる処理も含まれている。
【００５４】
本実施形態においても、個々のユーザによる個別仕様車の仕様選定操作は、図１３を参照して上述した処理構成を包含している。
【００５５】
即ち、本システムにおいて、所望仕様の個別仕様車を選定しようとするユーザ端末２の個々のユーザ（第１及び第２ユーザ）は、所定のＧＵＩ（グラフィック・ユーザ・インタフェース）を操作することによって、その個別仕様車のベースとなり得る基準仕様車に関する情報を、車両メーカ５等の車両供給者が運営するデータベースから読み出すと共に、その車両供給者が当該基準仕様車に対して供給可能な車両仕様に関して予め用意された所定の選択肢の中から選択する作業を行なうことによって、係る所望仕様の個別仕様車を選定する。この作業によって選定された個別仕様車に関する情報（当該個別仕様を特定する情報）は、当該ユーザの意思決定を表わす所定の操作が行われるのに応じて、当該車両供給者が運営するデータベース８内にユーザ別に用意された記憶領域（８−８）に登録され、当該ユーザは、登録された個別仕様車に関する情報を読み出すと共に、前記と同様な選択作業によって個別仕様の更新（追加、変更、削除等）を行なうこともできる。
【００５６】
そして、本実施形態の特徴的な構成として、車両供給者とは異なる他者としての第１ユーザ（Ａさん）は、選定した個別仕様車に関する選定情報を、特定の第２ユーザ（Ｂさん）に対して提案することができる。この場合、第２ユーザ（Ｂさん）は、雛形として提案された選定情報を読み出して、その選定情報を基礎として適宜追加・変更操作を行なうことにより、当該第２ユーザ所望の個別仕様車を選定することができる。
【００５７】
また、本実施形態において、第２ユーザ（Ｂさん）は、本システムを利用した他者としての複数の第１ユーザによる個別仕様車の仕様選定の実績、或いは、仕様選定後の見積実績が所定の複数件を超えるところの、特定の個別仕様車に関する選定情報を雛形として読み出して、その選定情報を基礎として適宜追加・変更操作を行なうことにより、当該第２ユーザ所望の個別仕様車を選定することができる。
【００５８】
また、本実施形態において、第２ユーザ（Ｂさん）は、本システムを利用して他者としての複数の第１ユーザによって、コンテスト期間中に仕様選定がなされた複数種類の個別仕様車を投票候補とした投票の結果、例えば上位となった人気のある特定の個別仕様車に関する選定情報を雛形として読み出して、その選定情報を基礎として適宜追加・変更操作を行なうことにより、当該第２ユーザ所望の個別仕様車を選定することができる。
【００５９】
以下、ＢＴＯサーバ１にて実行される個別仕様車選定支援処理を中心として、本システム全体の処理を説明する。
【００６０】
尚、本実施形態では、以下に説明する個別仕様車選定支援処理（図１１及び図１２）がＢＴＯサーバ１にて実行されるのに応じて、インターネット３等の通信回線を介してＢＴＯサーバ１から受信した所定のデータ形式（例えば、ＨＴＭＬ：Ｈｙｐｅｒｔｅｘｔ　Ｍａｒｋｕｐ　Ｌａｎｇｕａｇｅ）に基づくデータを利用して、ユーザ端末２において所謂インターネットブラウザ機能が実行されることにより、ユーザ端末２に対して、所定のＧＵＩとしての表示画面（図３乃至図１０）が提示される場合を例に説明する。
【００６１】
図１１及び図１２は、本実施形態におけるＢＴＯサーバ１の個別仕様車選定支援処理を示すフローチャートであり、ＢＴＯサーバ１の不図示のＣＰＵが行なうソフトウエア・プログラムの動作手順を表わす。
【００６２】
同図において、ステップＳ１：アクセス中のユーザ端末２において、個別仕様車の仕様選定を開始するための要求操作が行われたかが判断され、係る要求操作が検出された場合には処理がステップＳ２に進められ、検出されない場合には処理がステップＳ１６に進められる。
【００６３】
ステップＳ２：ステップＳ１において要求操作が検出されたユーザ端末２（以下、「注目ユーザ端末」と称する）に対して、図３乃至図７の何れかの雛形仕様車表示画面を表示するための情報が送信される。
【００６４】
ステップＳ３〜ステップＳ７：ステップＳ２にて送信された情報に基づいて注目ユーザ端末にて表示された何れかの雛形仕様車表示画面（例えば図３）に対するユーザ（第１または第２ユーザ）の選択操作に応じて、図３乃至図７の何れかの雛形仕様車表示画面が表示される。
【００６５】
図３乃至図７は、本実施形態において個別仕様車の仕様選定が行われるユーザ端末２に表示される雛形仕様車表示画面を例示する図であり、これらの画面は、何れも複数のフォルダが重ねられると共に、最前面に位置するフォルダの内容が表示される一方で、個々のフォルダの名称が示されたタグ部分は重複することなく表示される構成である。そして、何れのフォルダが最前面に位置する場合であっても、ユーザによる所望のタグ部分の選択操作が行われるのに応じて、対応するフォルダが最前面に表示される。
【００６６】
即ち、ステップＳ３乃至ステップＳ７では、図３乃至図７に共通のタグ部分の何れかが選択されるのに応じて、
・タグ「メーカ推奨基準仕様」が選択された場合には図３が表示され、
・タグ「登録済み個別仕様」が選択された場合には図４が表示され、
・タグ「コンテスト仕様」が選択された場合には図５が表示され、
・タグ「人気仕様」が選択された場合には図６が表示され、
・タグ「お知り合いからの提案仕様」が選択された場合には図７が表示される。
【００６７】
そして、図３に例示する雛形仕様車表示画面が表示された場合、最前面に位置するフォルダ内には、個別仕様車の仕様選定に際してユーザが雛形として選択可能な、車両供給者としてのメーカが推奨する複数種類の基準仕様車が表示される。同図に示す例では、ベース車（例えば最も廉価なグレードの車両）、グレードＧ等のグレード（仕様）が異なる複数種類の車両に関して、コメント、画像（イメージ）、価格、仕様（または他グレードとの差異）が表示されており、「詳細」ボタン（ソフトウエア・ボタン）の操作が行われた場合には、その操作に対応する車両に関するより詳細な情報が表示される。また、「選択」ボタンの操作が行われた場合、ＢＴＯサーバ１は、その操作に対応する車両が、注目ユーザ端末において仕様選定の雛形として選択されたものと判断する。
【００６８】
また、図４に例示する雛形仕様車表示画面が表示された場合、最前面に位置するフォルダ内には、当該ユーザによる登録済みの個別仕様車が既に存在する場合に限って、その個別仕様車の仕様の更新（追加、変更、削除等）、或いは新たな個別仕様車の仕様選定に際してユーザが雛形として選択可能に表示される。同図に示す例では、２種類の個別仕様車が既に登録されており、その登録（仕様設定）が行われた期日が表示されると共に、一方の車両は見積請求がなされた期日が表示されている。
【００６９】
そして、図４に例示する雛形仕様車表示画面においても、図３の場合と同様に、画像（イメージ）、価格、仕様（または他グレードとの差異）、「詳細」ボタン、そして「選択」ボタンが表示されている。
【００７０】
また、図５に例示する雛形仕様車表示画面が表示された場合、最前面に位置するフォルダ内には、個別仕様車の仕様選定に際してユーザが雛形として選択可能な車両として、本システムを利用して他者としての複数の第１ユーザ（ここでは注目ユーザ端末のユーザとは異なるユーザ）によってコンテスト期間中に仕様選定がなされた複数種類の個別仕様車を投票候補とした投票の結果、その上位に入賞した人気のある特定の個別仕様車が表示される。
【００７１】
そして、図５に例示する雛形仕様車表示画面においても、図３の場合と同様に、コメント（但しこの場合は入賞した第１ユーザまたはコンテスト主催者によるコメント）、画像（イメージ）、価格、仕様（または他グレードとの差異）、「詳細」ボタン、そして「選択」ボタンが表示されている。
【００７２】
また、図６に例示する雛形仕様車表示画面が表示された場合、最前面に位置するフォルダ内には、個別仕様車の仕様選定に際してユーザが雛形として選択可能な車両として、本システムを利用した他者としての複数の第１ユーザ（ここでは注目ユーザ端末のユーザとは異なるユーザ）による個別仕様車の仕様選定の実績、或いは、仕様選定後の見積実績が所定の複数件を超えるところの、特定の個別仕様車が表示される。
【００７３】
そして、図６に例示する雛形仕様車表示画面においても、図３の場合と同様に、コメント（但しこの場合は本システムを運用する管理者によるコメント）、画像（イメージ）、価格、仕様（または他グレードとの差異）、「詳細」ボタン、そして「選択」ボタンが表示されている。
【００７４】
また、図７に例示する雛形仕様車表示画面が表示された場合、最前面に位置するフォルダ内には、個別仕様車の仕様選定に際してユーザが雛形として選択可能な車両として、車両供給者とは異なる他者としての第１ユーザ（Ａさん：注目ユーザ端末の第２ユーザ（Ｂさん）の知人）から提案された特定の個別仕様車が、提案元の第１ユーザを、第２ユーザが認識可能に表示される。
【００７５】
そして、図７に例示する雛形仕様車表示画面においても、図３の場合と同様に、コメント（但しこの場合は当該個別仕様車を提案した第１ユーザによるコメント）、画像（イメージ）、価格、仕様（または他グレードとの差異）、「詳細」ボタン、そして「選択」ボタンが表示されている。
【００７６】
尚、上記の如く雛形仕様車表示画面（図３乃至図７）において、コメント、画像（イメージ）、価格、仕様（または他グレードとの差）が表示されるに際しては、データベース８内のデータレコード群８−１乃至８−８が適宜参照される。
【００７７】
ステップＳ８〜ステップＳ１３：ステップＳ３乃至ステップＳ７にて選択操作が検出されたタグ部分に対応する図３乃至図７に例示する雛形仕様車表示画面において、注目ユーザ端末のユーザが「選択」ボタンの操作によって選択したところの、個別仕様車（図３からの選択の場合は基準仕様車）の仕様情報、画像情報等が、データベース８内のデータレコード群８−５、８−７等から読み出される（ステップＳ８〜ステップＳ１２）。そして、ステップＳ１３では、読み出された仕様情報や画像情報等に基づいて注目ユーザ端末に表示される個別仕様選定画面（図８）により、ユーザは、その表示された個別仕様車について既に選定されている各項目を継承して、そのユーザ所望の個別仕様車を選定すべく、仕様の更新（追加、変更、削除等）を行なうことができる。
【００７８】
図８は、本実施形態において個別仕様車の仕様選定が行われるユーザ端末２に表示される個別仕様選定画面を例示する図である。
【００７９】
同図に示す画面には、内装及び外装イメージ選定済みの詳細仕様項目、その詳細仕様項目に基づく車両価格が表示されると共に、個別仕様車を選定するに際して必要とされる複数段階の工程として、同図に示す例では、エンジン、駆動、外装、内装、電装、販売代理店オプションの計６つの工程を示すフォルダが、図３乃至図７の場合と同様な一般的なフォルダ形式の操作系によって表示されている。そして、個々の工程に対応するフォルダでは、車両メーカ５が供給可能な車両仕様に関して予め用意された所定の選択肢に従ってユーザが所望の仕様を選定可能である。
【００８０】
尚、本実施形態において、個別仕様の選定操作の手順や選定操作に際して注目ユーザ端末に表示されるインタフェース（ＧＵＩ）自体は本質的なものではないので、詳細な説明は省略する。
【００８１】
そして、図８に例示する個別仕様選定画面において、ボタン１１乃至１６が操作されるのに応じて、以下の処理が行われる。
【００８２】
・ボタン１１（「記憶」）が操作された場合（ステップＳ１４）には、その操作が検出されるまでに個別仕様選定画面（図８）内の６つの工程にて選定された各項目の仕様情報が、データベース８内のデータレコード群８−８に記憶される（ステップＳ１５）。このとき記憶される個別仕様車の仕様情報は、注目ユーザ端末のユーザが図３乃至図７例示する何れかの雛形仕様車表示画面にて所望の雛形として先に選択した何れかの個別仕様車または基準仕様車の仕様情報を元に、ステップＳ１３にて仕様の更新（追加、変更、削除等）を行なうのに応じて選定された当該ユーザ所望の個別仕様車の仕様選定項目の組み合わせを表わす情報セットである。
【００８３】
・また、ボタン１２（「見積請求」）が操作された場合には、上記の如く仕様選定がなされた個別仕様車についての見積価格の請求を、不図示の見積請求画面を利用して、所望の或いは不特定の販売代理店７に対して要求することができる。そして、この場合、ＢＴＯサーバ１は、データベース８内のデータレコード群８−３に見積請求先の販売代理店７が予め登録している仕様項目別の見積価格を参照することによって、注目ユーザ端末から見積請求がなされた個別仕様車の選定仕様項目の組み合わせに基づいて、その個別仕様車の１台分の見積価格を算出すると共に、その見積請求先の販売代理店７が同データベース内のデータレコード群８−４に予め登録されている書式データ（テンプレート）の所定エリアに対して、算出した１台分の見積価格、選定仕様項目、並びに諸費用等を設定した後、注目ユーザ端末のユーザに対して見積回答のための電子メールとして送信される。
【００８４】
・また、ボタン１３（「商談申込み」）が操作された場合には、上記の如く仕様選定がなされた個別仕様車についての購入に向けた商談の申込みを、不図示の商談申込み画面を利用して、所望の或いは不特定の販売代理店７に対して要求することができる。
【００８５】
・また、ボタン１５（「詳細一覧」）が操作された場合（ステップＳ１６）には、注目ユーザ端末に購入検討一覧画面（図９）が表示される（ステップＳ１７）。
【００８６】
図９は、本実施形態においてユーザ端末２（注目ユーザ端末）に表示される購入検討一覧画面を例示する図であり、同図に示す画面には、注目ユーザ端末のユーザが今までに本システムを利用して仕様選定を行なった当該ユーザ所望の個別仕様車についての履歴情報（最終更新期日、見積請求や商談の整理番号、販売代理店等）が、当該個別仕様車の仕様識別情報と共に一覧表示される。
【００８７】
そして、購入検討一覧画面（図９）においてボタン２１（「商談」）及び／またはボタン２２（「見積」）が表示されている個別仕様車については、未だ見積請求及び／または商談申込みがなされていないことを表わしており、そのボタンが操作されるのに応じて、対応する個別仕様車に関して、上述したボタン１３（「商談申込み」）、ボタン１２（「見積請求」）と同様な処理が本画面においても開始される。
【００８８】
尚、個別仕様選定画面（図８）に設けられたボタン１４（「コンテストに応募」）が操作された場合については、ステップＳ２１にて後述する。また、個別仕様選定画面（図８）に設けられたボタン１６（「この個別仕様をお知り合いに提案」）または購入検討一覧画面（図９）に設けられたボタン２３（「この個別仕様をお知り合いに提案」）が操作された場合については、ステップＳ３０にて後述する。
【００８９】
ステップＳ２１〜ステップＳ２４：個別仕様選定画面（図８）に設けられたボタン１４（「コンテストに応募」）の操作が検出された場合（ステップＳ２１）には、その操作が検出するまでに個別仕様選定画面（図８）にて仕様選定がなされた個別仕様車についての仕様情報がＢＴＯサーバ１に送信され、コンテストに応募した個別仕様車の仕様情報として扱われる。
【００９０】
そして、ステップＳ２２では、応募された個別仕様車の仕様情報に、同一または類似する仕様情報（個別仕様）が既に登録されているかが判断され、その判断の結果、同一または類似するものが既に登録されている場合には、応募された仕様情報を登録できない旨の連絡が、応募元のユーザ端末２に電子メール等によって連絡される。一方、応募された仕様情報が最先であって、同一または類似する仕様情報は未だ登録されていない場合には、ステップＳ２４において当該応募された仕様情報がコンテストの実施期間に一つの投票対象（投票候補）として登録され、不図示のコンテスト画面において他ユーザによる投票可能に扱われる。
【００９１】
また、ステップＳ２２において、個別仕様車についての仕様情報が「同一」な場合とは、例えば、個別仕様選定画面（図８）内の６つの工程にて選定可能な各項目に対して、車両メーカ５が供給可能な車両仕様に関して予め用意した所定の選択肢の中から、コンテスト参加者である複数のユーザが同一の選択肢を選定した場合である。
【００９２】
一方、ステップＳ２２において、個別仕様車についての仕様情報が「類似する」場合とは、例えば、個々の選択肢の選定結果が全て同一でなくても、枝状に広がる複数の選択肢において、末端の選択肢とは異なる中位の選択肢が同一であって、且つ、係る中位の選択肢の下に位置する複数の選択肢に対する当該複数のユーザによる選定の結果が異なっている場合（即ち、パスが異なる場合）である。但し、この場合、中位の選択肢として設定されるものには、例えば、エンジンやトランスミッション等のように、その選択によって車両１台の価格が大きく変化するもの、或いは、車両構成が大きく変化するものを設定すると良い。
【００９３】
ステップＳ２５〜ステップＳ２７：所定のコンテスト実施期間が経過した場合（ステップＳ２５）には、そのコンテスト実施期間中における投票が多かった少なくとも１種類の個別仕様車（個別仕様車の仕様情報）が抽出され（ステップＳ２６）、抽出された個別仕様車の仕様情報は、コンテスト結果に基づく雛形として雛形仕様車表示画面（図５）にて表示可能とすべく、データベース８内のデータレコード群８−７に記憶される（ステップＳ２７）。
【００９４】
ステップＳ２８，ステップＳ２９：仕様選定や、その後の見積請求（商談申込みであっても良い）の実績回数が多かった個別仕様車（個別仕様車の仕様情報）が抽出され（ステップＳ２８）、抽出された個別仕様車の仕様情報は、人気仕様に基づく雛形として雛形仕様車表示画面（図５）にて表示可能とすべく、データベース８内のデータレコード群８−７に記憶される（ステップＳ２９）。
【００９５】
ステップＳ３０〜ステップＳ３２：個別仕様選定画面（図８）に設けられたボタン１６（「この個別仕様をお知り合いに提案」）または購入検討一覧画面（図９）に設けられたボタン２３（「この個別仕様をお知り合いに提案」）の操作が検出された場合（ステップＳ３０）には、注目ユーザ端末に提案詳細画面（図１０）が表示される（ステップＳ３１）。
【００９６】
図１０は、本実施形態においてユーザ端末２（注目ユーザ端末）に表示される提案詳細画面を例示する図であり、同図に示す画面には、提案対象となる個別仕様車として、注目ユーザ端末のユーザが今までに本システムを利用して仕様選定を行なった当該ユーザ所望の個別仕様車、または購入検討一覧画面（図９）にて選択された当該ユーザ所望の個別仕様車について、表示エリア３１には、仕様情報、画像（イメージ）、価格、仕様等が表示され、表示エリア３２には、表示エリア３１に表示された個別仕様車についての当該ユーザ（提案元である第１ユーザ、Ａさん）の提案先（第２ユーザ、Ｂさん）への任意コメントを入力することができる。
【００９７】
また、提案詳細画面（図１０）において、表示エリア３３には、同画面を表示する際の表示態様を設定することができ、表示エリア３４には、提案先の第２ユーザ（Ｂさん）を、氏名、メールアドレス、会員番号等によって特定（設定）することができる。
【００９８】
ステップＳ３２：提案詳細画面（図１０）において、上記の如く表示エリア３２乃至３４への設定が行われた後、同画面内に設けられた「ｏｋ」ボタンが操作されるのに応じて、それまでに同画面にて設定された情報と、提案対象である個別仕様車の仕様情報は、お知り合いからの提案仕様に基づく雛形として雛形仕様車表示画面（図７）にて表示可能とすべく、その仕様情報を読み出し可能な第２ユーザ（Ｂさん）が特定された状態で、データベース８内のデータレコード群８−７に記憶される。
【００９９】
尚、提案先の第２ユーザ（Ｂさん）の利便性を考慮すると、ステップＳ３１及びステップＳ３２においては、第２ユーザが特定され、且つ提案元である第１ユーザ（Ａさん）による個別仕様車の提案がなされた旨を表わす電子メールが、その提案先の第２ユーザに対して送信されるように構成すると良い。
【０１００】
また、上述した説明では、提案元である第１ユーザ（Ａさん）が提案先の第２ユーザ（Ｂさん）に所望の個別仕様車を提案する場合を例に説明したが、係るシステムの利用方法に限られるものではなく、例えば、その提案に先立って、自動車に余り詳しくない第２ユーザ（Ｂさん）が自身で設定した仕様選定に自信が無い場合に、その旨のコメントと共に、提案詳細画面（図１０）を利用して、第２ユーザが特定した第１ユーザ（Ａさん）にそれまでの個別仕様車の選定情報（１台分の選定が完結していない場合を含む）を伝え、その選定情報を入手した第１ユーザが、個別仕様選定画面（図８）及びお知り合いからの提案仕様に基づく雛形仕様車表示画面（図７）にて仕様選定の更新を行なった後、ステップＳ３０乃至ステップＳ３２にて上述した如く第２ユーザに提案する等の利用法も想定される。
【０１０１】
以上説明した本実施形態によれば、個別仕様車の仕様をユーザが選定するに際して、他者によって選定された個別仕様車の仕様情報を、ユーザが容易且つ合理的に参照することが可能であり、利便性に優れる。
【０１０２】
即ち、本実施形態において、見込み客等のユーザは、個別仕様選定画面（図８）において、基準仕様車だけでなく、他者（第三者）が選定した個別仕様車に関する選定情報を雛形として、車両メーカ等によって予め用意された所定の選択肢に従って選定作業を行なえば、所望の個別仕様車を選定することができる。これにより、第２ユーザは、他者の思考や意見等が反映された選定情報を雛形として利用（或いは、継承）できるので、例えば、当該第２ユーザが車両に詳しくない顧客であっても、必要とされる全ての選定作業をすること無く、１台の自動車としてまとまりの良い個別仕様車を、自分の嗜好に合わせて、容易且つ合理的に構築することができる。
【０１０３】
より具体的には、本実施形態において、見込み客等のユーザは、他の見込み客や車両に詳しい他のユーザ等の他者による仕様選定の実績、或いはその後の見積実績が多い特定の個別仕様車に関する選定情報を雛形として利用できるので、ユーザ所望の個別仕様車を、より容易且つ合理的に構築することができる。
【０１０４】
また、本実施形態において、第１ユーザである他者（Ａさん）は、個別仕様車の購入を検討しているところの、例えば友人や知人である特定ユーザ（第２ユーザであるＢさん）に対して、自分が思考する個別仕様車、或いは、その特定ユーザが漠然と思い抱く個別仕様車を具体化した個別仕様車を、当該特定ユーザに提案することができるので、当該特定ユーザは、提案された個別仕様車に関する選定情報を雛形として利用でき、例えば基準仕様車を基に必要な全ての仕様選択を行なう場合と比較して、係る特定ユーザ所望の個別仕様車を、より容易且つ合理的に構築することができる。また、このような選定仕様の提案は、見積段階前の見込み客（特定ユーザ）だけでなく、その見込み客に仕様提案を行なった友人や知人等の他者にも新たなエンターテイメントを提供することができ、好適である。
【０１０５】
また、本実施形態によれば、自分が思考する個別仕様車を不特定多数の見込み客等のユーザに対して、コンテストによって提案できる（ステップＳ２１）と共に、提案した個別仕様車に対しては、その不特定多数のユーザによる投票が可能である（ステップＳ２４）ため、車両の購入を直接的には検討していない者に対しても、新たなエンターテイメントを提供することがでると共に、見込み客であるユーザは、その投票の結果が例えば上位であった特定の個別仕様車に関する選定情報を雛形として利用できるので、ユーザ所望の個別仕様車を、より容易且つ合理的に構築することができる。
【０１０６】
また、上記コンテストへの応募に際しては、投票候補として同一または類似する個別仕様車が重複して登録される、或いは、多数登録されることを防止することができる（ステップＳ２２）ので、投票候補となる個別仕様車の種類を合理的に設定することができる。
【０１０７】
また、上記の如く、他者が選定した個別仕様車に関する選定情報を雛形とする場合、見込み客であるユーザは、自分で選定した訳ではないので、その個別仕様車の具体的なイメージを思い抱くことは容易でない場合も想定されるところ、本実施形態によれば、仕様選定に際して、当該ユーザは、他者の選定した個別仕様車に関する参考情報として、例えば画像等によって判別することができるので、ユーザ所望の個別仕様車を、より容易且つ合理的に構築することができる。
【０１０８】
尚、上述した実施形態を例に説明した本発明は、上述したＢＴＯサーバ１に対して、その説明において参照したフローチャートの機能を実現可能なコンピュータ・プログラムを供給した後、その装置のＣＰＵに読み出して実行することによって達成される。また、当該装置内に供給されたコンピュータ・プログラムは、読み書き可能なメモリまたはハードディスク装置等の記憶デバイスに格納すれば良い。
【０１０９】
また、前記の場合において、当該各装置内へのコンピュータ・プログラムの供給方法は、フレキシブルディスク等の各種記録媒体を介して当該装置内にインストールする方法や、インターネット等の通信回線を介して外部よりダウンロードする方法等のように、現在では一般的な手順を採用することができ、このような場合において、本発明は、係るコンピュータ・プログラムのコード或いは記憶媒体によって構成される。
【図面の簡単な説明】
【図１】本実施形態に係る個別仕様車選定システムの全体構成を示す概念図である。
【図２】本実施形態に係る個別仕様車選定システムの動作を概説するための図である。
【図３】本実施形態において個別仕様車の仕様選定が行われるユーザ端末２に表示される雛形仕様車表示画面を例示する図である。
【図４】本実施形態において個別仕様車の仕様選定が行われるユーザ端末２に表示される雛形仕様車表示画面を例示する図である。
【図５】本実施形態において個別仕様車の仕様選定が行われるユーザ端末２に表示される雛形仕様車表示画面を例示する図である。
【図６】本実施形態において個別仕様車の仕様選定が行われるユーザ端末２に表示される雛形仕様車表示画面を例示する図である。
【図７】本実施形態において個別仕様車の仕様選定が行われるユーザ端末２に表示される雛形仕様車表示画面を例示する図である。
【図８】本実施形態において個別仕様車の仕様選定が行われるユーザ端末２に表示される個別仕様選定画面を例示する図である。
【図９】本実施形態においてユーザ端末２（注目ユーザ端末）に表示される購入検討一覧画面を例示する図である。
【図１０】本実施形態においてユーザ端末２（注目ユーザ端末）に表示される提案詳細画面を例示する図である。
【図１１】本実施形態におけるＢＴＯサーバ１の個別仕様車選定支援処理を示すフローチャートである。
【図１２】本実施形態におけるＢＴＯサーバ１の個別仕様車選定支援処理を示すフローチャートである。
【図１３】本願出願人が先に提案しているシステムを利用してユーザが所望の個別仕様車を選定し、選定した個別仕様車が当該システム登録されるまでの概略を説明する図である。
【符号の説明】
１：ＢＴＯサーバ，
２：ユーザ端末，
３：インターネット，
４：中古車情報サーバ，
５：車両メーカ，
６：イントラネット，
７：販売代理店，
８：データベース
【図１】
2004054774.tif 000003
【図２】
2004054774.tif 000004
【図３】
2004054774.tif 000005
【図４】
2004054774.tif 000006
【図５】
2004054774.tif 000007
【図６】
2004054774.tif 000008
【図７】
2004054774.tif 000009
【図８】
2004054774.tif 000010
【図９】
2004054774.tif 000011
【図１０】
2004054774.tif 000012
【図１１】
2004054774.tif 000013
【図１２】
2004054774.tif 000014
【図１３】
2004054774.tif 000015